(57)【要約】【課題】足関節を適切な位置にずれが起きないように固定し、安定した支持と適切な圧迫を加えることができ、しかも、操作が簡単で扱い易い足関節サポーターを提供する。【解決手段】距腿部および踵部を含め、踝の上端近傍から舟状骨および立方骨近傍までの領域を覆う本体１と、本体１の踵部に対応する部分に前距腿部近傍への方向の張力を与える手段７、８とを備え、本体１の踵部に対応する部分は非伸縮性の領域６を含む。【選択図】　　図１
2004068194.tif 000002
【特許請求の範囲】
【請求項１】
距腿部および踵部を含め、踝の上端近傍から舟状骨および立方骨近傍までの領域を覆う本体と、本体の踵部に対応する部分に前距腿部近傍への方向の張力を与える手段とを備え、本体の踵部に対応する部分は非伸縮性の領域を含むことを特徴とする足関節サポーター。
【請求項２】
本体の踵部に対応する部分は、本体を形成する材料と異なる材料を設置することにより非伸縮性の領域を形成することを特徴とする請求項１記載の足関節サポーター。
【請求項３】
本体の踵部に対応する部分が本体の後方に設けた開口により形成され、この開口の周囲が非伸縮性の材料で形成されることを特徴とする請求項１又は２記載の足関節サポーター。
【請求項４】
本体の踵部に対応する部分が本体の後方を塞ぎ人体の踵部に相応する曲面状の部分により形成され、この部分が非伸縮性の材料で形成されることを特徴とする請求項１又は２記載の足関節サポーター。
【請求項５】
本体の踵部に対応する部分が本体の後方を塞ぎ人体の踵部に相応する曲面状の部分により形成され、その踵部の外縁に対応する部分が非伸縮性、中心部分が伸縮性の材料で形成されたことを特徴とする請求項１又は２記載の足関節サポーター。
【請求項６】
本体の踵部に対応する部分から前距腿部近傍への方向の張力を与える手段が、本体の踵部に対応する部分の両側面に設けられることを特徴とする請求項１〜５のいずれか１つに記載の足関節サポーター。
【請求項７】
本体の踵部に対応する部分から前距腿部近傍への方向の張力を与える手段が本体の踵部に対応する部分に結合されたベルトであることを特徴とする請求項１〜６のいずれか１つに記載の足関節サポーター。
【請求項８】
本体の足底部に足底板を着脱自在に設けたことを特徴とする請求項１〜７のいずれか１つに記載の足関節サポーター。
【請求項９】
本体の足底部に対応する部分から左右に延び、足背部に対応する部分上で８の字状に交差して踵部に対応する部分の上部の近傍に至るように巻き付け固定し得るベルトを備えることを特徴とする請求項１〜８のいずれか１つに記載の足関節サポーター。
【請求項１０】
下腿部の一部、距腿部および踵部を含め、踝の上端近傍から舟状骨および立方骨近傍までの領域を覆う前開き式の筒状の本体を備え、本体の踵部に対応する部分に開口を設け、開口の周縁部を非伸縮性に形成し、この開口の周縁部の左右両側にそれぞれ一端を固定され前距腿部近傍に向かい延びるベルトを設け、本体の足底部に対応する部分から左右に延び、足背部に対応する部分上で８の字状に交差して踵部に対応する部分の上部の近傍に至るように巻き付け固定し得るベルトを設け、本体の足底部に足底板を着脱自在に設けたことを特徴とする足関節サポーター。
【発明の詳細な説明】
【０００１】
【発明の属する技術分野】
本発明は、足関節における捻挫等の外傷の発生予防、再発予防、治療のために足首に固定して用いられる医療用、スポーツ用の足関節サポーターに関する。
【０００２】
【従来の技術】
足関節における捻挫等の外傷の発生予防、再発予防、治療には種々の方法があるが、現在主として、ギプス、副木、テーピングテープ、バンデージ、サポーター等が使用され、場合によってはこれらの複数のものが併用される。これらの各手段にはそれぞれの特徴があり、使用者の患部の状態や使用される状況等によって選択される。その中で、特にサポーターは次のような利点をもつことから、外傷の有用な発生予防、再発予防、治療の手段として様々な場面で利用されている。まず、サポーターは、装着するのに例えばギプス、テーピングテープのように、ある程度の熟練した技術又はそれを有する補助者を特別必要とせず、簡単にしかも短時間に装着ができる。又、患部の状態によって長期的に着用するのが好ましい場合には、サポーターは、連続使用に対する安定性、耐久性がテーピングテープやバンデージに比べ優れており、その結果使用に際してのランニングコストも少なくてすむ。
【０００３】
現在使用されている足関節サポーターとしては種々のものがあるが、その一つとして距腿部および足底部を覆う筒状の本体と、その外表面に設置され足関節を締め付け固定するベルトからなるサポーターがある。この種のサポーターの具体的な構造として、距腿部と足底部とを覆う前合わせ型の本体、前合わせ用係止片、本体の足底部を中央として上端が脚部両側に達するベルト、足背外側から踵部上部を経て足背内側に８の字形に捲き付けられるベルトを備えたサポーター（実開平２−７９９８７号公報）、距腿部と足底部とを覆い上部と前部とが開放している本体、本体を足に固定する手段、第五中足の骨の上部を横切り、踵部上部、足背を経て外側の踵部へと至るベルトを備えたサポーター（特開平４−２２０２５３号公報）、距腿部と足底部とを覆う本体、舟状骨から距腿関節を経て立方骨に至る伸縮性のベルト、距骨内側部から距腿関節を経て距骨外側部に至る伸縮性のベルトを備えたサポーター（特開平１１−２０６９４７号公報）、距腿部と足底部とを覆う本体、本体の外果側に一端を固定し、もう一端が本体生地の内果側の挿通孔にサポーターの内側から外側に向かって挿通され、外果側に折り返して固定する複数のベルトを備えたサポーター（実用新案登録第３０７３４０８号公報）等がある。
【０００４】
これらのサポーターは、いずれも距腿部周囲を捲回するベルトにより、足関節に特定の方向から力をかけて足関節を固定しようとするものであるが、前距腿部近傍と踵部とを結ぶ領域における足関節の動きに対して、サポーターのずれ、寄れを十分に抑制できるものではなかった。即ち前距腿部近傍と踵部とを結ぶ領域における足関節の動きにより特に踵部に力が集中するが、従来のサポーターは、ずれが起こりやすい曲面形状の踵部を押さえるのに特段有利な構造を備えていなかった。その結果、踵部で発生したサポーターのずれ、寄れは、足関節の動きによりさらにその周辺部（特に前距腿部近傍）に広がるため、適切な位置からずれた位置でサポーターを固定することになり、サポーター本来の機能を十分に発揮することができない。
【０００５】
又、距腿部全体を覆う本体は備えず、踵部を包み込む部分と、それに固定され距腿部及び足背を捲回固定する４本のベルトからなるサポーターも提案されているが（例えば特開昭６３−１１９７６０公報及び特開昭６３−１８３０５３公報）、距腿部全体を覆う筒状の部分を備えないから、ベルト先端の固定される部分が限定され易く、足関節全体をバランス良く固定、圧迫するのが難しい。又、サポーターがベルト部分から構成され、ベルト先端の固定が自身の背面に付着するようになっているので、サポーターは足の周径方向にずれ易く、それを防止しようとするには足の周径方向にさらに強い力でベルトを締めつけるしかなく、患部が過度に圧迫されるという問題があった。
【０００６】
【発明が解決しようとする課題】
本発明の課題は、足関節を適切な位置にずれが起きないように固定し、安定した支持と適切な圧迫を加えることができ、しかも、操作が簡単で扱い易い足関節サポーターを提供することにある。
【０００７】
【課題を解決するための手段】
上述の課題を解決するために、本発明においては、距腿部および踵部を含め、踝の上端近傍から舟状骨および立方骨近傍までの領域を覆う本体と、本体の踵部に対応する部分に前距腿部近傍への方向の張力を与える手段とを備え、本体の踵部に対応する部分は非伸縮性の領域を含む。
【０００８】
本発明において前距腿部近傍とは、距腿部の前方の部分即ち足の内踝と外踝とを足の前側において結ぶ部分を中心領域としてその周辺部を意味し、骨についていえば、距骨前方から、舟状骨、楔状骨に至る領域を意味する。
【０００９】
本体は、天然繊維、化学繊維よりなる織布、編布、不織布、パイル生地、プラスチックフォームなどを単独又は任意に選択組合わせて形成することができる。その具体的な素材としては、例えば、綿、毛、ウール、レーヨン、アクリル、ポリアミド、ポリエステル、ポリウレタン、ポリ塩化ビニリデン等の繊維を適宜組み合わせてなる、経編み又は緯編み布のジャージ生地、パワーネットのような弾性糸混紡編物、ダブルラッシェル生地の立体編物等がある。さらに、これらの生地とゴム発泡体（クロロプレンゴム、天然ゴム、ブチルゴム、スチレン・ブタジエンゴム　、イソプレンゴム等）、ウレタン発泡体（圧縮ウレタン）等のフォーム材料を積層した複合材料を用いることができる。
【００１０】
本体生地は上述のような素材を連続した１枚の生地から形成することができるが、適当な大きさに裁断したものを縫製や接着によりつなぎ合わせて形成することもできる。特に、距腿部や踵部のような凹凸の多い部位では体表面との追従性が必要であり、適度な圧迫性や操作性を向上させるために伸縮性の生地を部分的又は全面に用いるのが好ましい。この本体生地の伸縮性は、その生地に用いる繊維の特性やその混紡の割合、生地同士の組合せパターン等により自由に調整することができる。なお、表面生地がポリアミド、ポリエステル、ポリ塩化ビニリデン等の素材でパイル状にしたものは面ファスナーとして利用でき、ベルトの位置調節やその着脱に有利である。
【００１１】
本体は距腿部および踵部を含み、踝の上端近傍から舟状骨および立方骨近傍までの領域を包み込める適当な大きさに筒状に形成することができるが、この筒状の本体には、最初から布帛を筒状に縫製したもののほか、この筒状に形成した本体部分の前方側（足背側）又は後方側（アキレス腱側）の一部又は全部に、開放部分を設けたものを使用することができる。開放部分を設ける場合には、開放した一方の側片を他方の側片に面ファスナー等で係着して筒状に形成できるようにする。このような開放部分を設けることにより、面ファスナー等の係着の仕方を調節することができ、個人差のある患部に対し最も適切な圧迫力を加えることができる。本体は場合によっては下腿部の一部をも覆い得るようにしてもよく、その際には下腿部から距腿部を経て、踵部、足底部に至る一連の筒状の本体に形成することができる。
【００１２】
本体の踵部に対応する部分は非伸縮性を有する領域を含むことにより、踵部と本体生地とのずれを起こり難くすることができる。本体の踵部に対応する部分の非伸縮性を有する領域は踵部の全面を覆う部分に設けてもいいし、部分的に設けても良い。部分的に設ける場合には、少なくとも後述する踵部から前距腿部近傍への方向に張力を与える手段が接する位置に非伸縮性部分を設ける必要がある。つまり、この手段から発生する張力に対して、本体の踵部に対応する部分が変形することによっておこる、本体の適切な位置からのずれを防ぐのである。又、本体の踵部に対応する部分は、踵部の一部が露出するように開口を設け、この開口の周縁部を非伸縮性に形成することにより、踵部が過度に圧迫されるのを防ぐとともに、踵部がその開口に嵌りこむことで、サポーターが適切な位置からずれ難くなり、又、装着時の違和感も軽減される。
【００１３】
本体の踵部に対応する部分に非伸縮性を持たせる方法としては特に限定されないが、本体の踵部に本体とは別の非伸縮性の材料を設置するのが好ましい。具体的には、伸縮性の生地から構成される本体の踵部に対応する部分の上から（又は、伸縮性の生地が積層構造である場合はその内部に）、非伸縮性の材料を縫着、接着等して形成する方法、本体生地の踵部に当る部分を本体生地とは別の非伸縮性の材料を縫着、接着等して形成する方法、伸縮性の生地から構成される本体の踵部に対応する部分の上から合成樹脂等を含浸、塗布し生地の伸縮性を減ずる方法等がある。好ましくは、伸縮性の生地から構成される本体の踵部に対応する部分の上から非伸縮性の材料を縫着する方法で、本体の接皮側と反対側の踵部に対応する部分の上に縫着するのが更に好ましい。こうすることで、本体生地の踵部に直接接する部分が伸縮性になるため、本体生地の踵部への追従性や肌触りを保ちつつ、本体生地の外側に設置する非伸縮性材料により踵部からのずれを押さえることができる。又、本体の踵部に対応する部分の上から、非伸縮性の材料を設置する場合には、非伸縮性の材料の表面に面ファスナー等の係着手段を設け、本体の踵部に対応する部分と着脱自在に取り付けるようにしてもよい。こうすることで、個々の踵部の形状に合わせ、非伸縮性の材料が適切にフィットするよう微調整することができ、さらに生産上も縫製加工が単純になる等のメリットがある。
【００１４】
本体の踵部から前距腿部近傍の方向に張力を与える方法としては特に限定されないが、例えば、本体の踵部に対応する部分から前距腿部近傍の領域にかけて、本体生地より強い弾性をもつ材料を本体の上から（又は、伸縮性の生地が積層構造である場合はその内部に）縫着、接着等して形成する方法、伸縮性又は非伸縮性のベルト状の材料をその一端を非伸縮性の踵部に対応する部分に取り付け、他端を前距腿部近傍に引上げられるように設置する方法等がある。好ましくは、ベルト状の材料を設置する方法で、ベルトの先端に面ファスナー等の係合手段を取り付け本体と着脱自在にすることで、圧迫や固定の力を調節できるようになる。又、本体の踵部に対応する部分から前距腿部近傍への方向に張力を与える手段は、踵部にバランス良く力をかけるために、本体の踵部に対応する部分の両側面に設置するのが好ましい。又、本体の踵部に対応する部分の両側面にベルトを設置する場合には、一方のベルトの先端（本体の踵部に対応する部分に設置する側と反対側の端部）にコキを取り付け、他方のベルトの先端をそのコキに挿通させて折り返し、折り返した先端部分を面ファスナー等で自身の表面に着脱自在に取り付けて締め込み、固定することができる。ベルトを折り返す構造にすることで、長時間使用した場合でもベルトが緩み難く、安定した固定を維持することができる。さらに、このベルトはサポーター本体を装着し、足底部を床につけた状態で、床面に対して３０〜６０度の角度の位置になるようベルトの先端を本体の踵部に対応する部分に設置するのが好ましい。この角度は装着者の足関節の症状、足関節の形状に応じて適宜定められる。この踵部から前距腿部近傍への方向に張力を与える手段を本体に設けることにより、本体の踵部に対応する部分が引上げられ、踵部と前距腿部近傍を結ぶ領域における人体とサポーター本体の密着性を向上させることができる。
【００１５】
本体の足底部には、着脱自在に設置される足底板を取り付けることができる。足底板を設置することで、本体生地と足の土踏まず部分の密着性がよくなり、又、適度な圧迫をかけることができるので、サポーターの固定性が向上する。足底板としては、例えば、ゴム、ポリウレタン、ポリスチレン、ポリエチレン等を使用したフォーム材料、シリコーン、ポリウレタン、アクリル等を使用したゲル材料、織物、編物、不織布等を積層させた繊維材料等の各種材料を単独又は適宜組み合せて用いることができる。足底板の表面には、本体の足底部と着脱ができるよう面ファスナー等の係合手段を接着、縫着等で取り付けることができる。
【００１６】
また、足底部から足背部上を通り、足背部の頂上で８の字に交差して踵部上部の近傍に至るように巻き付け固定し得る２本のベルトを備えるようにしてもよく、このベルトを本体の回りに固定することにより、底屈、背屈を共に制限でき、より強い固定力が得られる。このベルトは、２本のベルトの一端をそれぞれ足底部に取り付け、左右から立ち上げて他端を本体上に着脱可能に形成するようにしても良いし、１本のベルトの中央部を本体の足底部に対応する部分に取り付け、この足底部に対応する部分の左右から立ち上げて両端を本体上に着脱可能に形成するようにしても良い。ベルトは好ましくは伸縮性で、その端部には本体に着脱できるよう面ファスナー等の係合手段を設けることが好ましい。
【００１７】
足関節の内反や外反を抑制する目的で、本体の両側面に金属又はプラスチックから形成される支持体を設けてもよい。この支持体の本体への取り付け方法としては、本体にポケットを設けその内部に挿入したり、本体生地内部に縫込んだり、本体の外側表面に面ファスナー等により着脱自在に取り付けることができる。
【００１８】
【発明の実施の形態】
次に本発明の実施の形態を、図面に示す実施例について説明する。
【００１９】
図１において、ａは左側面図、ｂは右側面図、ｃは正面図、ｄは本体を開放状態にした正面図である。１は本体で、下腿部の一部から距腿部を経て踵部、足背部、足底部に至る領域を包む筒状に形成され、装着しやすくするため前開き式に形成され、その後方の踵部に対応する部分Ｐに開口２を備え、本体の足背部に対応する部分Ｑ、足底部に対応する部分Ｒは舟状骨、立方骨を覆い得る個所まで延びている。本体１は下腿部に対応する部分Ｓの一方の側に２個の面ファスナー３、４、足背部に対応する部分Ｑの一方の側に面ファスナー５が設けられ、本体１を装着して前開きの部分を閉じ、これらの面ファスナーを用いて人体上に固定することができる。本体１は表面にポリアミド、ポリウレタンからなるフレンチパイル、芯にポリウレタン発泡体、裏面にポリエステルジャージの３種類の生地を接着により積層させたものを用いて構成され、その表面側の生地により面ファスナーを着脱できるようになっている。なお、本体１の足底部に対応する部分Ｒは、足底部と接する側に上述の生地のフレンチパイル面が来るように本体生地を裏返したもので形成し、後述する足底板に設ける面ファスナーが着脱できるようにすると有利である。
【００２０】
踵部に対応する開口２の周縁部６は、表面に厚み２ｍｍ、幅２５ｍｍの非伸縮性のポリアミドのフレンチパイルが縫着されることにより非伸縮性が与えられ、この周縁部６には本体の左右両側において、それぞれ幅３０ｍｍの非伸縮性のポリアミド製のベルト７、８の一端９、１０が固定され、それらの他端には面ファスナー１１、１２が縫着されている。このベルト７、８の向きは、踵部に対応する個所から前距腿部近傍に向く方向を有し、図の例では、足底部に対し約４５度の角度をなして後方から前方に向け上向きに傾斜している。なお、ベルト７、８により加えられる張力がベルトの幅だけで周縁部６に加わるのを避けるため、ベルト７、８の周縁部６に対する固定端の幅を広くするようにすると有利である。例えば図に示すように、周縁部６に三角形状の非伸縮性の布帛１３、１４の一辺を固定し、この布帛１３、１４にベルト７、８の一端９、１０を固定すると、ベルト７、８に加わる張力はこの布帛１３、１４によって周縁部６の広い範囲に分布させることができる。なお、ベルト７、８の表面は起毛加工されており、面ファスナー１１、１２により本体１の表面上に係着させると共に、ベルト７、８同士を重ねて相互に係着させ得るようにもなっている。
【００２１】
本体１の足底部に対応する部分Ｒの左右には、それぞれ幅５０ｍｍの織ゴム製のベルト１５、１６の各一端１７、１８が固定され、両ベルト１５、１６は足底部に対応する部分Ｒから左右に立ち上がり、足背部に対応する部分Ｑ上を通り、足背部に対応する部分Ｑの頂上で８の字に交差して踵部に対応する部分Ｐの上部の近傍に至るように巻き付けることができる長さを有しており、その先端には面ファスナー１９、２０が設けられ、本体１のフレンチパイル面に係合できるようになっている。２１は足底板で、ポリエチレン発泡体の表面をポリアミドのフレンチパイルで被覆し、その片面に面ファスナー２２が設けられ、本体の足底部に対応する部分Ｒの内面上に着脱することができる。２３、２４は本体の各側面に取り付けられる支持体で、厚み２．５ｍｍ、幅５０ｍｍ、長さ１２０ｍｍのポリプロピレンから形成されている。支持体の内側の上部および下部には、面ファスナー２５、２６が設けられ、本体１のフレンチパイル面に係合することができる。又、支持体２３、２４の外側表面にはベルト１５、１６の先端に設けられた面ファスナー１９、２０が付着できるように面ファスナーを設置することができる（図示せず）。
【００２２】
次に図１の足関節サポーターの装着方法を図２を利用して説明する。先ず本体１の前を開いて装着者の足をその踵部３１が開口２に嵌り込むような位置に置き、本体１の前を閉じ、各面ファスナー３、４、５を備えた側を他方の側の上に重ねて面ファスナー３、４、５を本体１上に係着し、下腿部３２から距腿部を経て足背部３３の一部、足底部３４の一部が本体１により包まれるように固定する。次いで本体の開口２の左右から前方へ上向きに傾斜するベルト７、８を前距腿部近傍に向け引き伸ばし、適切な張力が踵部から前距腿部近傍に向かう領域上に加わるようにしてその面ファスナー１１、１２で本体１上に係着する（ａの状態）。この場合、更に一方のベルト、例えばベルト７の上に他方のベルト８を重ね、両ベルト７、８同士を相互に係着させることもできる。次に足底部の左右から延びる２本のベルト１５、１６を足背部上に添わせ、足背部の頂上で互いに８の字に交差するようにして反対側に引き伸ばし、踵部の上部近傍で面ファスナー１９、２０により本体１上に係着する（ｂの状態）。
【００２３】
図３は本発明の異なる実施例の、ａは左側面図、ｂは右側面図、ｃは装着状態における斜視図であり、図１と同等部分には同符号を付してある。この実施例は図１の実施例に対し、開口２の周縁部６に本体の左右両側において、一端が固定されている非伸縮性のベルト７、８の他端の構成が異なっている。即ち一方のベルト７の先端４１にはコキ（例えば長方形状のリング）４２が取り付けられ、他方のベルト８の先端４３には外側に向く側に比較的長い範囲にわたって面ファスナー４４が取り付けられている。なお、コキ４４の本体側には、コキが当たることにより痛みを感じないようにクッション片４５が固定されている。装着に当たっては、足底部の左右から延びる２本のベルト１５、１６を図１、２の実施例で説明したベルト１５、１６の係着方法と同様な方法で適用した後、その上から、ベルト８の先端４３をコキ４２に下側から挿通して折り返し、自身のベルト８上に面ファスナー４４を使用して係着する。
【００２４】
本体の踵部に対応する部分に前距腿部近傍への方向の張力を与える手段としての左右のベルトは、図１の実施例に示すように例えば面ファスナーによって本体に係着させると共にベルト相互が係着し合うようにしてもよいし、図３の実施例に示すようにベルト相互が係着し合うだけで本体には係着しないようにすることもできるが、ベルトが本体に係着するだけで、ベルト同士は係着し合わないような構成でもよく、要は踵部から前距腿部近傍への方向に張力が作用するようなベルト構成を症状に応じて使用することができる。
【００２５】
上述の実施例では本体に下腿部を覆う部分を含むものの例を示したが、下腿部に対応する部分は、装着者の症状に応じて備えないものも可能で、その場合の距腿部より下方の部分の構成については基本的に変るところはない。
【００２６】
本発明の足関節サポーターの効果を検証するため、前述した図３に示す実施例のサポーターを使用し、装着時の距骨下関節の前方動揺性評価、圧力測定及び官能評価を次のように行った。
【００２７】
距骨下関節前方動揺性評価：サポーター装着前と装着時に距骨下関節に一定の力で前方引き出しストレスを加え、その状態を逆ブローデンビュー（Ｂｒｏｄｅｎ　Ｖｉｅｗ）の方法によりレントゲン写真を撮影し、後距骨下関節関節面距骨前方部と踵骨前方部との間の移動距離を測定した。その測定の一例を挙げると、サポーター装着前７．０ｍｍ、装着時には６．５ｍｍと計測され、サポーター装着時には距骨下関節に適度の支持、圧迫が加えられることで前方動揺性を抑えていることが確認された。
【００２８】
圧力測定：サポーターを装着した状態で足底部、距腿部、踵部の３部分にかかる圧力をエアー式圧力計測器（ＡＭＩ社製）を使用して測定した。測定の対象には、図３に示す実施例のサポーターと、この実施例と足底板、踵部の開口の周縁部に縫着する非伸縮性のフレンチパイル（６）、ベルト（７、８）がない点を除いて同様の構成を有する従来からあるサポーターとを使用して比較を行った。なお、この両サポーターの踵部に対応する開口には、踵部の圧力測定を行うために伸縮性のパワーネットを開口全面に縫着した。測定の結果、各部分にかかる圧力を比較したところ、実施例では足底部にかかる圧力は約５倍、距腿部にかかる圧力は約２倍、踵部にかかる圧力は１．３倍の増加が確認され、本発明の構成が足関節の安定化に寄与していることが分った。
【００２９】
官能評価：足関節障害を有する患者１１名に対して、上述の圧力測定に使用した従来のサポーターを０点として、−１０点（悪い）〜＋１０点（良い）の範囲で装着感に関する相対的官能評価を行った。その結果を次表に示す。
【表１】
2004068194.tif 000003
この表から分るように、実施例のサポーターに対して、フィット感で平均４．２点、安定感、安心感に関しては平均６．６点、疾患の痛みの軽減に関しては平均２．６点、総合評価に関しては平均４．４点と、従来のサポーターに比べて高い評価を得た。なお、表中に０点より下の評価となったものが散見されるが、これらは調査の結果、装着者の疾患に対し実施例のサポーターが著しく適合しないものであり、本発明のサポーターが適応し得る疾患については、高い評価が得られることが判明した。
【００３０】
【発明の効果】
本発明によれば、本体の非伸縮性の領域を含む踵部から前距腿部近傍への方向に張力を与える手段を備えることで、踵部と本体生地とのずれを起こり難くすることができ、長時間使用しても安定した支持、固定を持続させることができる。しかも、必要最低限のベルトで確実に患部を固定するものであるから操作が簡単で扱い易く、素材の使用量を低減できるため経済的にも有利である。
【図面の簡単な説明】
【図１】本発明の実施例の、ａは左側面図、ｂは右側面図、ｃは正面図、ｄは本体を開放状態にした正面図である。
【図２】本発明の装着方法を説明するための斜視図である。
【図３】本発明の別の実施例の、ａは左側面図、ｂは右側面図、ｃは装着状態における斜視図である。
【符号の説明】
１　本体
２　開口
３　面ファスナー
４　面ファスナー
５　面ファスナー
６　開口の周縁部
７　ベルト
８　ベルト
９　ベルトの一端
１０　ベルトの一端
１１　面ファスナー
１２　面ファスナー
１３　布帛
１４　布帛
１５　ベルト
１６　ベルト
１７　ベルトの一端
１８　ベルトの一端
１９　面ファスナー
２０　面ファスナー
２１　足底板
２２　面ファスナー
２３　支持体
２４　支持体
２５　面ファスナー
２６　面ファスナー
３１　踵部
３２　下腿部
３３　足背部
３４　足底部
４１　ベルトの先端
４２　コキ
４３　ベルトの先端
４４　面ファスナー
Ｐ　踵部に対応する部分
Ｑ　足背部に対応する部分
Ｒ　足底部に対応する部分
Ｓ　下腿部に対応する部分
【図１】
2004068194.tif 000004
【図２】
2004068194.tif 000005
【図３】
2004068194.tif 000006